(57)【特許請求の範囲】
【請求項１】
表示装置に画像を表示する表示制御を行う表示制御装置において、
前記表示装置に表示する画像である表示対象画像における動画部分について、画像を縮小するスケーリングがされているかどうかのスケーリングの有無の変化を判定する判定手段と、
前記表示対象画像における動画部分のスケーリングの有無の変化をトリガとして、前記表示対象画像を表示する画面モードを選択し、その画面モードで、前記表示対象画像を前記表示装置に表示させる表示制御手段と
を備え、
テレビジョン放送番組の動画と、データ放送のコンテンツとを表示する場合に、前記テレビジョン放送番組の動画をスケーリングして得られるスケーリング後の動画と、前記データ放送のコンテンツとを重畳したスケーリング重畳画像が、前記表示対象画像として表示され、
前記表示制御手段は、
前記表示対象画像における動画部分のスケーリングがされていない状態からスケーリングがされた状態に変化した場合、そのスケーリングの有無の変化をトリガとして、前記表示対象画像の全体のアスペクト比を表す全体アスペクト情報のみに基づき、前記表示対象画像全体を前記表示装置の表示領域に表示する画面モードを選択する
表示制御装置。
【請求項２】
表示装置に画像を表示する表示制御を行う表示制御方法において、
前記表示装置に表示する画像である表示対象画像における動画部分について、画像を縮小するスケーリングがされているかどうかのスケーリングの有無の変化を判定し、
前記表示対象画像における動画部分のスケーリングの有無の変化をトリガとして、前記表示対象画像を表示する画面モードを選択し、その画面モードで、前記表示対象画像を前記表示装置に表示させる
ステップを含み、
テレビジョン放送番組の動画と、データ放送のコンテンツとを表示する場合に、前記テレビジョン放送番組の動画をスケーリングして得られるスケーリング後の動画と、前記データ放送のコンテンツとを重畳したスケーリング重畳画像が、前記表示対象画像として表示され、
前記表示対象画像における動画部分のスケーリングがされていない状態からスケーリングがされた状態に変化した場合、そのスケーリングの有無の変化をトリガとして、前記表示対象画像の全体のアスペクト比を表す全体アスペクト情報のみに基づき、前記表示対象画像全体を前記表示装置の表示領域に表示する画面モードを選択する
表示制御方法。
【請求項３】
表示装置に画像を表示する表示制御を行う表示制御処理を、コンピュータに実行させるプログラムにおいて、前記表示装置に表示する画像である表示対象画像における動画部分について、画像を縮小するスケーリングがされているかどうかのスケーリングの有無の変化を判定し、
前記表示対象画像における動画部分のスケーリングの有無の変化をトリガとして、前記表示対象画像を表示する画面モードを選択し、その画面モードで、前記表示対象画像を前記表示装置に表示させる
ステップを含み、
テレビジョン放送番組の動画と、データ放送のコンテンツとを表示する場合に、前記テレビジョン放送番組の動画をスケーリングして得られるスケーリング後の動画と、前記データ放送のコンテンツとを重畳したスケーリング重畳画像が、前記表示対象画像として表示され、
前記表示対象画像における動画部分のスケーリングがされていない状態からスケーリングがされた状態に変化した場合、そのスケーリングの有無の変化をトリガとして、前記表示対象画像の全体のアスペクト比を表す全体アスペクト情報のみに基づき、前記表示対象画像全体を前記表示装置の表示領域に表示する画面モードを選択する
表示制御処理を、コンピュータに実行させるプログラム。
【発明の詳細な説明】
【技術分野】
【０００１】
本発明は、表示制御装置、表示制御方法、およびプログラムに関し、特に、画像を、適切に表示することができるようにする表示制御装置、表示制御方法、およびプログラムに関する。
【背景技術】
【０００２】
ディジタル放送では、画像全体のアスペクト比や、画像における有効な動画部分のアスペクト比（画像サイズ）などの画像フォーマットが異なる画像が放送されている。
【０００３】
例えば、ディジタル放送では、全体のアスペクト比が16:9の画像（横対縦の比が16:9の画像）や4:3の画像が放送されている。
【０００４】
また、ディジタル放送で放送されているアスペクト比が16:9の画像（以下、適宜、16:9画像という）には、例えば、以下のような画像フォーマットの画像がある。
【０００５】
即ち、図１は、３種類の画像フォーマットの16:9画像を示している。
【０００６】
図１の上から１番目は、16:9画像の全体が有効な動画部分となっている（16:9画像における有効な動画部分の画像サイズが16:9画像と同一になっている）画像フォーマットの16:9画像（以下、適宜、通常16:9画像という）を示している。ここで、通常16:9画像の画像フォーマットを、以下、適宜、通常16:9という。
【０００７】
図１の上から２番目は、16:9画像のうちの、左右の端部を除く中央部分の、アスペクト比が4:3の画像が有効な動画部分となっている画像フォーマットの16:9画像（以下、適宜、サイドパネル付き16:9画像という）を示している。
【０００８】
ここで、サイドパネル付き16:9画像において、有効な動画部分ではない左右の端部は、サイドパネルと呼ばれる。サイドパネル付き16:9画像の画像フォーマットを、以下、適宜、サイドパネル16:9という。
【０００９】
なお、サイドパネル付き16:9画像は、例えば、NTSC(National Television System Committee)方式などの、アスペクト比が4:3の画像の左右に、サイドパネルを形成することにより得ることができる。
【００１０】
図１の上から３番目（下から１番目）は、サイドパネル付き16:9画像のうちの、上下の端部を除く中央部分の、アスペクト比が16:9の画像が有効な動画部分となっている画像フォーマットの16:9画像（以下、適宜、レターボックス画像という）を示している。
【００１１】
ここで、レターボックス画像において、有効な動画部分ではない上下の端部は、レターボックスと呼ばれる。レターボックス画像の画像フォーマットを、以下、適宜、レターボックス16:9という。
【００１２】
一方、アスペクト比が16:9の表示領域（表示画面）のディスプレイを有し、その表示領域に画像を表示する、いわゆるワイドTV（ワイドテレビジョン受像機）が普及している。
【００１３】
ワイドTVにおいては、例えば、上述のような各画像フォーマットの画像をディスプレイに表示するときの画面モードが用意されている。
【００１４】
図２は、ワイドTVにおける各画面モードでの画像の表示例を示している。
【００１５】
図２の上から１番目は、「フルモード」と呼ばれる画面モードで表示された16:9画像の表示例を示している。
【００１６】
「フルモード」は、16:9画像をそのまま表示する画面モードであり、ディスプレイの16:9の表示領域に、16:9画像がそのまま表示される。このように、「フルモード」では、16:9画像がそのまま表示されるので、例えば、図２の上から１番目に示すように、通常16:9画像の表示に適している。
【００１７】
図２の上から２番目は、「ワイドズームモード」と呼ばれる画面モードで表示された16:9画像の表示例を示している。
【００１８】
「ワイドズームモード」は、16:9画像の左右の端部をカットして左右（水平）方向のみを拡大して表示をする画面モードであり、ディスプレイの16:9の表示領域に、16:9画像を左右方向に拡大して得られる画像（左右方向の画像サイズを大にした画像）の中央部分が表示される。このように、「ワイドズームモード」では、16:9画像を左右方向に拡大した画像が表示されるので、例えば、図２の上から２番目に示すように、サイドパネル付き16:9画像の表示に適している。なお、「ワイドズームモード」は、その他、例えば、アスペクト比が4:3の画像の表示にも適している。
【００１９】
図２の上から３番目（下から１番目）は、「ズームモード」と呼ばれる画面モードで表示された16:9画像の表示例を示している。
【００２０】
「ズームモード」は、16:9画像の左右方向と上下（垂直）方向の端部をカットして左右方向と上下方向との両方向を拡大して表示をする画面モードであり、ディスプレイの16:9の表示領域に、16:9画像を上下左右方向に拡大して得られる画像（上下方向の画像サイズと左右方向の画像サイズとの両方を大にした画像）の中央部分が表示される。このように、「ズームモード」では、16:9画像を上下左右方向に拡大した画像が表示されるので、例えば、図２の上から３番目に示すように、レターボックス画像の表示に適している。
【００２１】
画面モードについては、例えば、ワイドTVに付属のリモートコマンダを操作することにより、いわばマニュアルで選択することができる。また、ワイドTVが、画面モードを自動的に選択し、その画面モードで画像を表示する機能を有する場合があり、かかる機能は、オートワード機能と呼ばれる。
【００２２】
オートワイド機能を有するワイドTVでは、例えば、ディジタル放送の音声モードの切り替わり、即ち、音声が、ステレオまたはモノラルのうちの一方から他方に切り替わったことをトリガとして、画面モードを選択し直すことが行われる（例えば、特許文献１参照）。
【００２３】
あるいは、オートワイド機能を有するワイドTVでは、例えば、ディスプレイに表示されるテレビジョン放送番組としての画像の動画部分のサイズ（動画部分のアスペクト比）、つまりは、ディスプレイに表示されるテレビジョン放送番組としての画像の画像フォーマットの変化をトリガとして、画面モードを選択し直すことが行われる。
【００２４】
また、画面モードの選択のし直しは、例えば、画像の画像フォーマットに基づいて行われる。即ち、例えば、ディスプレイに表示される画像が通常16:9画像である場合には、画面モードとしては、図２の上から１番目に示したように、「フルモード」が選択し直される。また、例えば、ディスプレイに表示される画像がサイドパネル付き16:9画像や、全体のアスペクト比が4:3の画像である場合には、画面モードとしては、図２の上から２番目に示したように、「ワイドズームモード」が選択し直される。さらに、例えば、ディスプレイに表示される画像がレターボックス画像である場合には、画面モードとしては、図２の上から３番目に示したように、「ズームモード」が選択し直される。
【００２５】
【特許文献１】特開平08-317303号公報。
【発明の開示】
【発明が解決しようとする課題】
【００２６】
従来のワイドTVでは、オートワイド機能が有効になっている場合に、上述したように、ディスプレイに表示される画像の画像フォーマットの変化をトリガとして、画面モードの選択のし直しが行われる。このため、適切な表示が行われないことがあり得る。
【００２７】
即ち、ディジタル放送では、画像と音声によるテレビジョン放送の他、データ放送が行われることがある。また、ワイドTVでは、テレビジョン放送番組としての画像を縮小するスケーリングを行い、スケーリング後の画像と、データ放送のコンテンツとを重畳した画像を作成して表示することがある。
【００２８】
図３は、テレビジョン放送番組（コンテンツ）としての16:9画像と、データ放送のコンテンツとを重畳した画像（以下、適宜、重畳画像という）の例を示している。
【００２９】
図３の重畳画像においては、左上の領域に、サイドパネル付き16:9画像をスケーリングしたスケーリング後の画像（動画）が表示され、そのスケーリング後の画像の右側と下側の領域に、データ放送のコンテンツとしての、例えば、文字や図形が表示されている。
【００３０】
ここで、重畳画像に表示されるデータ放送のコンテンツは、例えば、連動データと呼ばれる。連動データのデータ放送が行われている場合に、ワイドTVにおいて、テレビジョン放送番組としての画像のスケーリングを行って図３の重畳画像を表示するか、または、連動データの表示を行わずに、テレビジョン放送番組としての画像だけを表示するかは、ユーザがリモートコマンダを操作することによって指定することができる場合と、ディジタル放送の放送信号によって、放送局側から指定することができる場合とがある。
【００３１】
また、重畳画像としては、図３に示したように、テレビジョン放送番組としての画像をスケーリングしたスケーリング後の画像と、データ放送のコンテンツとを重畳した重畳画像の他、テレビジョン放送番組としての画像をスケーリングせずに、その画像に対して、データ放送のコンテンツを重畳した重畳画像がある。以下、適宜、スケーリング後の画像とデータ放送のコンテンツとを重畳した重畳画像を、スケーリング重畳画像といい、スケーリングしていない画像とデータ放送のコンテンツとを重畳した重畳画像を、非スケーリング重畳画像という。
【００３２】
従来のワイドTVでは、図４や図５に示すように、スケーリング重畳画像が適切に表示されないことがあり得る。
【００３３】
具体的には、例えば、図４の上側に示すように、オートワイド機能が有効になっている場合において、ディスプレイに表示される画像の画像フォーマットがサイドパネル16:9であれば、その画像フォーマットに基づき、画面モードとして、「ワイドズームモード」が選択される。
【００３４】
これにより、画像フォーマットがサイドパネル16:9であるサイドパネル付き16:9画像については、その中央部分のアスペクト比が4:3の画像（有効な動画部分）が左右方向に拡大された16:9の画像が、ディスプレイの16:9の表示領域に表示される。
【００３５】
その後、ディスプレイの全体に表示する画像（ディスプレイの全体に表示される画像）である表示対象画像が、サイドパネル付き16:9画像から、例えば、サイドパネル付き16:9画像をスケーリングしたスケーリング後の画像と連動データとが重畳された図３のスケーリング重畳画像に変更された場合、表示対象画像が、サイドパネル付き16:9画像、または、図３のスケーリング重畳画像のいずれであっても、ディスプレイに表示されるテレビジョン放送番組としての画像は、サイドパネル付き16:9画像であり、その画像フォーマットは変わらない。
【００３６】
従って、表示対象画像が、サイドパネル付き16:9画像から、図３のスケーリング重畳画像に変更されても、画面モードは「ワイドズームモード」のまま変わらない。このため、スケーリング重畳画像は、図４の下側に示すように、左右方向に拡大されて表示されることとなる。その結果、ディスプレイの表示領域内に、スケーリング重畳画像における文字等の連動データが表示されない文字欠けが生じることがあり得る。
【００３７】
また、ユーザは、通常16:9画像であっても、その一部を拡大して表示させたい場合、即ち、通常16:9画像を、図５の上側に示すように、「ズームモード」で表示させたい場合がある。通常16:9画像については、オートワイド機能が働いていると（有効になっていると）、図２の上から１番目に示したように、「フルモード」で表示がされるため、通常16:9画像を、「ズームモード」で表示するには、ユーザは、オートワイド機能を無効にし、マニュアルで「ズームモード」を選択する必要がある。
【００３８】
上述したように、オートワイド機能が無効され、通常16:9画像が「ズームモード」で表示されている場合には、表示対象画像が、通常16:9画像から、例えば、通常16:9画像をスケーリングしたスケーリング後の画像と連動データとが重畳されたスケーリング重畳画像に変更されても、やはり、ディスプレイに表示されるテレビジョン放送番組としての画像は、通常16:9画像のままであるから、画面モードは「ズームモード」のまま変わらない。このため、スケーリング重畳画像は、図５の下側に示すように、上下左右方向に拡大されて表示されることとなる。その結果、やはり、図４の場合と同様に、ディスプレイの表示領域内に、スケーリング重畳画像における文字等の連動データが表示されない文字欠けが生じることがあり得る。
【００３９】
スケーリング重畳画像は、その全体に、スケーリング後の画像や連動データが表示された16:9画像であり、スケーリング重畳画像の表示は、例えば、「フルモード」で行うのが適切である。しかしながら、図４や図５の場合に、スケーリング重畳画像を、「フルモード」で表示するには、ユーザが、マニュアルで、画面モードを「フルモード」に切り替える必要があり、面倒である。
【００４０】
本発明は、このような状況に鑑みてなされたものであり、画像を、適切に表示することができるようにするものである。
【課題を解決するための手段】
【００４１】
本発明の一側面の表示制御装置は、表示装置に画像を表示する表示制御を行う表示制御装置であり、前記表示装置に表示する画像である表示対象画像における動画部分について、画像を縮小するスケーリングがされているかどうかのスケーリングの有無の変化を判定する判定手段と、前記表示対象画像における動画部分のスケーリングの有無の変化をトリガとして、前記表示対象画像を表示する画面モードを選択し、その画面モードで、前記表示対象画像を前記表示装置に表示させる表示制御手段とを備え、テレビジョン放送番組の動画と、データ放送のコンテンツとを表示する場合に、前記テレビジョン放送番組の動画をスケーリングして得られるスケーリング後の動画と、前記データ放送のコンテンツとを重畳したスケーリング重畳画像が、前記表示対象画像として表示され、前記表示制御手段は、前記表示対象画像における動画部分のスケーリングがされていない状態からスケーリングがされた状態に変化した場合、そのスケーリングの有無の変化をトリガとして、前記表示対象画像の全体のアスペクト比を表す全体アスペクト情報のみに基づき、前記表示対象画像全体を前記表示装置の表示領域に表示する画面モードを選択する表示制御装置である。
【００４３】
本発明の一側面の表示制御方法、または、プログラムは、表示装置に画像を表示する表示制御を行う表示制御方法、または、表示装置に画像を表示する表示制御を行う表示制御処理を、コンピュータに実行させるプログラムであり、前記表示装置に表示する画像である表示対象画像における動画部分について、画像を縮小するスケーリングがされているかどうかのスケーリングの有無の変化を判定し、前記表示対象画像における動画部分のスケーリングの有無の変化をトリガとして、前記表示対象画像を表示する画面モードを選択し、その画面モードで、前記表示対象画像を前記表示装置に表示させるステップを含み、テレビジョン放送番組の動画と、データ放送のコンテンツとを表示する場合に、前記テレビジョン放送番組の動画をスケーリングして得られるスケーリング後の動画と、前記データ放送のコンテンツとを重畳したスケーリング重畳画像が、前記表示対象画像として表示され、前記表示対象画像における動画部分のスケーリングがされていない状態からスケーリングがされた状態に変化した場合、そのスケーリングの有無の変化をトリガとして、前記表示対象画像の全体のアスペクト比を表す全体アスペクト情報のみに基づき、前記表示対象画像全体を前記表示装置の表示領域に表示する画面モードを選択する表示制御方法、または、表示制御処理を、コンピュータに実行させるプログラムである。
【００４４】
本発明の一側面の表示制御装置、表示制御方法、またはプログラムにおいては、前記表示装置に表示する画像である表示対象画像における動画部分のスケーリングの状態が変化したか否かが判定され、前記表示対象画像における動画部分のスケーリングの状態の変化をトリガとして、前記表示対象画像を表示する画面モードが選択され、その画面モードで、前記表示対象画像が前記表示装置に表示される。
【発明の効果】
【００４５】
本発明の一側面によれば、画像を、適切に表示することができる。
【発明を実施するための最良の形態】
【００４９】
以下、図面を参照して、本発明の実施の形態について説明する。
【００５０】
図６は、本発明を適用したワイドTVの一実施の形態の構成例を示している。
【００５１】
図６において、ワイドTVは、バス１１を介して相互に接続されているCPU(Central Processing Unit)１２，ROM(Read Only Memory)１３，RAM(Random Access Memory)１４、HD(Hard Disk)（HDドライブ）１５、不揮発性メモリ１６、ドライブ１７、受信部１９、チューナ２１、デスクランブラ２２、デマルチプレクサ(Demux)２３、デコーダ２４、出力制御部２５、および出力装置２６から構成されている。
【００５２】
CPU１２は、ROM１３や、HD１５、不揮発性メモリ１６に記憶されたプログラムをバス１１を介して読み出して実行することにより、ワイドTVを構成する各ブロックを制御する。
【００５３】
ROM１３は、CPU１２が実行するプログラム等を記憶している。RAM１４は、CPU１２が実行するプログラムや、CPU１２の動作上必要なデータを一時的に記憶する。HD１５には、CPU１２が実行するプログラムや、プログラムを実行する上で必要なデータ等が記録される。
【００５４】
不揮発性メモリ１６は、例えば、ワイドTVの電源がオフにされても保持する必要のあるデータを記憶する。ここで、ワイドTVの電源がオフにされても保持する必要のあるデータとしては、例えば、電源がオフにされる直前にチューナ２１で選択（選局）されていたチャンネルを表すデータや、電源がオフにされる直前の音量を表すデータなどがある。ワイドTVの電源が次にオンにされたとき、不揮発性メモリに記憶されたデータに基づき、チャンネルの選択や音量の設定等が行われる。なお、不揮発性メモリ１６は、その他、例えば、デスクランブラ２２でのデスクランブルに使用される鍵などのデータも必要に応じて記憶する。
【００５５】
ドライブ１７には、例えば、フレキシブルディスク、CD-ROM(Compact Disc Read Only Memory)，MO(Magneto Optical)ディスク，DVD(Digital Versatile Disc)、磁気ディスク、半導体メモリなどのリムーバブル記録媒体１８の着脱が可能になっている。ドライブ１７は、そこに装着されたリムーバブル記録媒体１８に対するデータ等の読み書きを行う。
【００５６】
受信部１９は、リモートコマンダ３１から赤外線等によって送信されてくる操作信号を受信する。即ち、リモートコマンダ３１は、ユーザによって操作されると、その操作に対応した操作信号を、例えば赤外線等の無線によって送信するようになっており、受信部１９は、このようにしてリモートコマンダ３１から送信されてくる操作信号を受信し、バス１１を介して、CPU１２に供給する。ここで、CPU１２は、受信部１９からの操作信号に応じて、チューナ２１によるチャンネルの選択等を制御する。
【００５７】
チューナ２１には、図示せぬアンテナで受信されたディジタル放送の放送信号が供給される。チューナ２１は、バス１１を介してのCPU１２の制御にしたがい、そこに供給される放送信号から所望のチャンネルの放送信号を復調し、その復調の結果得られるパケット（の列）を、デスクランブラ２２に供給する。
【００５８】
デスクランブラ２２は、バス１１を介してのCPU１２の制御にしたがい、チューナ２１から供給されるパケットにスクランブルがかけられている場合に、そのスクランブルを解くデスクランブルを必要に応じて行い、そのデスクランブル後のパケットを、デマルチプレクサ２３に供給する。
【００５９】
デマルチプレクサ２３は、バス１１を介してのCPU１２の制御にしたがい、デスクランブラ２２から供給されるパケット（の列）から、必要なパケットを抽出し、画像データを含むパケットと音声データを含むパケットを、デコーダ２４に供給するとともに、データ放送のデータを含むパケットを、バス１１を介してCPU１２に供給する。
【００６０】
ここで、CPU１２は、デマルチプレクサ２３からバス１１を介して供給されるパケットに含まれる、データ放送のデータを必要に応じて処理し、バス１１を介して、出力制御部２５の出力画像制御部２５Ｖに供給する。出力画像制御部２５Ｖは、CPU12からのデータを用いて、文字や図形を含む重畳画像等を生成する。
【００６１】
デコーダ２４は、ビデオデコーダ２４Ｖとオーディオデコーダ２４Ａとを有し、バス１１を介してのCPU１２の制御にしたがい、デマルチプレクサ２３からのパケットに含まれるデータを、例えば、MPEG(Moving Picture Experts Group)方式等にしたがってデコードして、出力制御部２５に供給する。
【００６２】
即ち、デコーダ２４において、ビデオデコーダ２４Ｖは、デマルチプレクサ２３からのパケットに含まれる画像データをデコードし、出力制御部２５の出力画像制御部２５Ｖに供給する。また、オーディオデコーダ２４Ａは、デマルチプレクサ２３からのパケットに含まれる音声データをデコードし、出力制御部２５の出力音声制御部２５Ａに供給する。
【００６３】
出力制御部２５は、出力画像制御部２５Ｖと出力音声制御部２５Ａとを有し、バス１１を介してのCPU１２の制御にしたがい、出力装置２６への画像データと音声データの出力を制御する。
【００６４】
即ち、出力画像制御部２５Ｖは、バス１１を介してのCPU１２の制御にしたがい、所定の画面モードで画像が表示されるように、ビデオデコーダ２４Ｖからの画像データを処理して、出力装置２６の画像表示装置２６Ｖに供給する。その他、出力制御部２５Ｖは、CPU１２からバス１１を介して供給されるデータ放送のデータと、ビデオデコーダ２４Ｖからの画像データとを用い、前述した図３のスケーリング重畳画像などの重畳画像の画像データを生成する処理等も行う。
【００６５】
出力音声制御部２５Ａは、バス１１を介してのCPU１２の制御にしたがい、オーディオデコーダ２４Ａからの音声データのレベルの調整等を行って、出力装置２６の音声出力装置２６Ａに供給する。
【００６６】
出力装置２６は、画像表示装置２６Ｖと音声出力装置２６Ａとを有し、出力制御部２５からの画像データに対応する画像を表示するとともに、出力制御部２５からの音声データに対応する音声を出力する。
【００６７】
即ち、画像表示装置２６Ｖは、例えば、CRT(Cathode Ray Tube)やLCD(Liquid Crystal Display)等のディスプレイで構成され、出力画像制御部２５Ｖからの画像データに対応する画像を表示する。なお、画像表示装置２６Ｖは、例えば、16:9画像を表示することができる表示領域（表示画面）を有している。
【００６８】
音声出力装置２６Ａは、例えば、D/A(Digital/Analog)変換器とスピーカ等で構成され、出力音声制御部２５Ａからの音声データに対応する音声を出力する。
【００６９】
以上のように構成されるワイドTVでは、チューナ２１が、そこに供給される放送信号から所望のチャンネルの放送信号を復調し、その復調の結果得られるパケットを、デスクランブラ２２に供給する。デスクランブラ２２は、チューナ２１から供給されるパケットに対し、必要に応じて、デスクランブル処理を施し、デマルチプレクサ２３に供給する。
【００７０】
デマルチプレクサ２３は、デスクランブラ２２から供給されるパケット（の列）から、必要なパケットを抽出し、画像データを含むパケットをビデオデコーダ２４Ｖに、音声データを含むパケットをオーディオデコーダ２４Ａに、データ放送のデータを含むパケットをCPU１２に、それぞれ供給する。
【００７１】
ビデオデコーダ２４Ｖは、デマルチプレクサ２３からのパケットに含まれる画像データをデコードし、出力画像制御部２５Ｖに供給する。オーディオデコーダ２４Ａは、デマルチプレクサ２３からのパケットに含まれる音声データをデコードし、出力音声制御部２５Ａに供給する。
【００７２】
出力画像制御部２５Ｖは、所定の画面モードで画像が表示されるように、ビデオデコーダ２４Ｖからの画像データを処理し、画像表示装置２６Ｖに供給する。これにより、画像表示装置２６Ｖでは、所定の画面モードで、画像が表示される。
【００７３】
また、出力音声制御部２５Ａは、オーディオデコーダ２４Ａからの音声データを処理し、音声出力装置２６Ａに供給する。これにより、音声出力装置２６Ａでは、音声が出力される。
【００７４】
なお、CPU１２に実行させるプログラムは、ROM１３や、HD１５、不揮発性メモリ１６に予め記録しておくことができる。
【００７５】
あるいはまた、プログラムは、リムーバブル記録媒体１８に、一時的あるいは永続的に格納（記録）しておくことができる。このようなリムーバブル記録媒体１８は、いわゆるパッケージソフトウエアとして提供することができる。
【００７６】
なお、プログラムは、上述したようなリムーバブル記録媒体１８からワイドTVにインストールする他、ダウンロードサイトから、ディジタル衛星放送用の人工衛星を介して、ワイドTVに無線で転送したり、LAN(Local Area Network)、インターネットといったネットワークを介して、ワイドTVに有線で転送し、ワイドTVでは、そのようにして転送されてくるプログラムを、図示せぬ通信インタフェースで受信し、内蔵するハードディスク１５にインストールすることができる。
【００７７】
ここで、本明細書において、コンピュータとしてのCPU１２に各種の処理を行わせるためのプログラムを記述する処理ステップは、必ずしも、後述するフローチャートとして記載された順序に沿って時系列に処理する必要はなく、並列的あるいは個別に実行される処理（例えば、並列処理あるいはオブジェクトによる処理）も含むものである。
【００７８】
また、プログラムは、１のCPUにより処理されるものであっても良いし、複数のCPUによって分散処理されるものであっても良い。
【００７９】
次に、図６のワイドTVにおいて、CPU１２は、所定の制御プログラムを実行することにより、画面モードに関する制御を行う制御装置として機能する。
【００８０】
図７は、そのような制御装置の機能的な構成例を示している。
【００８１】
図７において、制御装置は、データ放送制御部４１、ビデオストリーム制御部４２、動画プレーン／文字図形プレーン重畳制御部４３、および画面モード制御部４４から構成される。
【００８２】
データ放送制御部４１は、データ放送に関する制御を行う。即ち、データ放送用制御部４１は、例えば、データ放送のデータに基づき、データ放送番組としての文字や図形等を表示するときのレイアウトを設定（決定）し、そのレイアウトを表すレイアウト情報を、動画ブレーン／文字図形プレーン重畳制御部４３に供給する。
【００８３】
ビデオストリーム制御部４２は、ワイドTVを構成するブロックのうちの、画像データを処理するビデオデコーダ２４Ｖや出力画像制御部２５Ｖ等の制御を行う。また、ビデオストリーム制御部４２は、テレビジョン放送番組としての画像の画像フォーマットを検出し、その画像フォーマットを表す画像フォーマット情報を、画面モード制御部４４に供給する。
【００８４】
ここで、画像フォーマット情報が表す画像フォーマットとしては、前述した通常16:9や、ワイドパネル16:9、レターボックス16:9、さらには、アスペクト比が4:3の画像の画像フォーマットである通常4:3などがある。
【００８５】
動画プレーン／文字図形プレーン重畳制御部４３は、画像表示装置２６Ｖに表示する表示対象画像が重畳画像である場合に、出力画像制御部２５Ｖ（図６）において、テレビジョン放送番組としての画像と、データ放送番組としての文字や図形とを重畳した重畳画像を生成するのに必要な制御を行う。なお、動画プレーン／文字図形プレーン重畳制御部４３は、重畳画像を生成するにあたり、データ放送番組としての文字や図形の配置位置を、データ放送制御部４１からのレイアウト情報に基づいて制御する。
【００８６】
また、表示対象画像がスケーリング重畳画像である場合には、そのスケーリング重畳画像である表示対象画像の動画部分、即ち、スケーリング重畳画像に重畳される、テレビジョン放送番組としての画像については、その画像サイズを縮小するスケーリングが行われる。このスケーリングは、図６の出力画像制御部２５Ｖが、動画プレーン／文字図形プレーン重畳制御部４３の制御にしたがって行うが、動画プレーン／文字図形プレーン重畳制御部４３は、表示対象画像の動画部分のスケーリングの状態、つまり、動画部分のスケーリングがされているかされていないかの状態を認識し、そのスケーリングの状態を表すスケーリング情報を、画面モード制御部４４に、定期的または不定期に供給する。
【００８７】
さらに、表示対象画像が重畳画像である場合には、動画プレーン／文字図形プレーン重畳制御部４３は、その重畳画像である表示対象画像の全体のアスペクト比を検出し、そのアスペクト比を表す全体アスペクト比情報を、画面モード制御部４４に供給する。
【００８８】
画面モード制御部４４は、判定部５１と表示制御部５２とを有し、画面モードを選択して、その画面モードで画像が表示されるように、出力画像制御部２５Ｖ（図６）を制御する。
【００８９】
即ち、判定部５１は、動画プレーン／文字図形プレーン重畳制御部４３からのスケーリング情報に基づき、表示対象画像における動画部分のスケーリングの状態が変化したか否かを判定する。
【００９０】
具体的には、例えば、判定部５１は、動画プレーン／文字図形プレーン重畳制御部４３から前回供給された前回のスケーリング情報を、内蔵するメモリ（図示せず）に記憶しており、メモリに記憶された前回のスケーリング情報と、動画プレーン／文字図形プレーン重畳制御部４３から今回供給された今回のスケーリング情報とを比較することで、表示対象画像における動画部分のスケーリングの状態が変化したか否か、つまり、今回のスケーリング情報が、前回のスケーリング情報と異なるか否かを判定する。
【００９１】
そして、判定部５１は、表示対象画像における動画部分のスケーリングの状態が変化したと判定した場合、スケーリングの状態、即ち、表示対象画像における動画部分がスケーリングをした状態からスケーリングをしない状態に変化したことを表すメッセージ（以下、適宜、「スケーリング有り→無し」メッセージという）、または、表示対象画像における動画部分がスケーリングをしない状態からスケーリングをした状態に変化したことを表すメッセージ（以下、適宜、「スケーリング無し→有り」メッセージという）を、表示制御部５２に供給する。
【００９２】
また、判定部５１は、今回のスケーリング情報を上書きする形で、内蔵するメモリに記憶させる。
【００９３】
表示制御部５２は、判定部５１からメッセージが供給されると、そのメッセージの供給をトリガとして、即ち、表示対象画像における動画部分のスケーリングの状態の変化をトリガとして、表示対象画像を表示する画面モードを選択し、その画面モードで、表示対象画像を画像表示装置２６Ｖに表示させるように、出力画像制御部２５Ｖを制御する。
【００９４】
ここで、表示制御部５２は、画面モードの選択を、ビデオストリーム制御部４２から供給される画像フォーマット情報、または、動画プレーン／文字図形プレーン重畳制御部４３から供給される全体アスペクト比情報に基づいて行う。
【００９５】
即ち、図８は、画像フォーマット情報、または全体アスペクト比情報と、表示制御部５２で選択される画面モードとの関係を示している。
【００９６】
表示対象画像における動画部分のスケーリングがされていない場合、即ち、判定部５１から表示制御部５２に対して、「スケーリング有り→無し」メッセージが供給された場合、表示制御部５２は、ビデオストリーム制御部４２から供給される、スケーリングされていない動画部分を含む表示対象画像（全体が動画部分である通常16:9画像を含む）の画像フォーマットを表す画像フォーマット情報に基づき、図８の上側に示すように、画面モードを選択する。
【００９７】
即ち、表示制御部５２は、画像フォーマット情報が表す画像フォーマットが通常16:9である場合、画面モードとして、「フルモード」を選択する。また、表示制御部５２は、画像フォーマット情報が表す画像フォーマットが通常4:3である場合と、サイドパネル16:9である場合には、いずれの場合も、画面モードとして、「ワイドズームモード」を選択する。さらに、表示制御部５２は、画像フォーマット情報が表す画像フォーマットがレターボックスである場合、画面モードとして、「ズームモード」を選択する。
【００９８】
一方、表示対象画像における動画部分のスケーリングがされている場合、即ち、判定部５１から表示制御部５２に対して、「スケーリング無し→有り」メッセージが供給された場合、表示制御部５２は、動画プレーン／文字図形プレーン重畳制御部４３から供給される、スケーリングされている動画部分を含む表示対象画像の全体のアスペクト比を表す全体アスペクト比情報に基づき、図８の下側に示すように、画面モードを選択する。
【００９９】
即ち、表示制御部５２は、全体アスペクト比情報が表すアスペクト比（以下、適宜、全体アスペクト比という）が16:9である場合、画面モードとして、「フルモード」を選択する。また、表示制御部５２は、全体アスペクト比が4:3である場合、画面モードとして、「ワイドズームモード」を選択する。
【０１００】
次に、図９のフローチャートを参照して、図７の制御装置の画面モード制御部４４の動作について説明する。
【０１０１】
画面モード制御部４４の判定部５１は、動画プレーン／文字図形プレーン重畳制御部４３からスケーリング情報が供給されるのを待って、ステップＳ１に進み、そのスケーリング情報に基づき、表示対象画像における動画部分のスケーリングの状態が変化したか否かを判定する。
【０１０２】
即ち、判定部５１は、ステップＳ１において、内蔵するメモリに記憶している前回のスケーリング情報と、動画プレーン／文字図形プレーン重畳制御部４３から供給された今回のスケーリング情報とを比較することで、表示対象画像における動画部分のスケーリングの状態が変化したか否か、つまり、今回のスケーリング情報が、前回のスケーリング情報と異なるか否かを判定する。
【０１０３】
ステップＳ１において、表示対象画像における動画部分のスケーリングの状態が変化していないと判定された場合、即ち、今回のスケーリング情報が、前回のスケーリング情報と同一である場合、判定部５１は、動画プレーン／文字図形プレーン重畳制御部４３からスケーリング情報が新たに供給されるのを待って、ステップＳ１に戻り、以下、同様の処理を繰り返す。なお、今回のスケーリング情報が、前回のスケーリング情報と同一である場合、判定部５１が内蔵するメモリの記憶内容は、そのまま今回のスケーリング情報として使用することができるため、判定部５１は、メモリの記憶内容の更新をしない（する必要がない）。
【０１０４】
また、ステップＳ１において、表示対象画像における動画部分のスケーリングの状態が変化したと判定された場合、即ち、今回のスケーリング情報が、前回のスケーリング情報と異なる場合、ステップＳ２またはステップＳ１１に進む。
【０１０５】
具体的には、表示対象画像における動画部分のスケーリングがされていない状態からスケーリングがされた状態に変化した場合、即ち、例えば、表示対象画像が、重畳画像でない画像から、図３等のスケーリング重畳画像に変更された場合、ステップＳ１からステップＳ２に進み、判定部５１は、今回のスケーリング情報を上書きする形で、内蔵するメモリに記憶させる。ここで、メモリに記憶されたスケーリング情報は、次のステップＳ１の処理において、前回のスケーリング情報として使用される。
【０１０６】
その後、判定部５１は、「スケーリング無し→有り」メッセージを、表示制御部５２に供給して、ステップＳ２からステップＳ３に進む。ステップＳ３では、表示制御部５２は、動画プレーン／文字図形プレーン重畳制御部４３から全体アスペクト比情報を取得して、ステップＳ４に進む。
【０１０７】
ステップＳ４では、表示制御部５２は、判定部５１からの「スケーリング無し→有り」メッセージの供給をトリガとして、オートワイド機能を機能させるオードワイド処理を行う。
【０１０８】
即ち、ステップＳ４では、まず最初に、ステップＳ４1において、表示制御部５２は、動画プレーン／文字図形プレーン重畳制御部４３から取得した全体アスペクト比情報が表す全体アスペクト比に基づき、図８で説明したように、画面モードを選択して、ステップＳ４2に進む。
【０１０９】
ステップＳ４2では、表示制御部５２は、直前のステップＳ４1で選択された画面モードで画像が表示されるように、出力制御部２５Ｖを制御する。これにより、出力制御部２５Ｖは、直前のステップＳ４1で選択された画面モードで画像が表示されるように、表示対象画像を必要に応じて拡大または縮小し、画像表示装置２６Ｖに供給して表示させる。
【０１１０】
一方、表示対象画像における動画部分のスケーリングがされた状態からスケーリングがされていない状態に変化した場合、即ち、例えば、表示対象画像が、図３等のスケーリング重畳画像から、重畳画像でない画像に変更された場合、ステップＳ１からステップＳ１１に進み、判定部５１は、ステップＳ２の場合と同様に、今回のスケーリング情報を上書きする形で、内蔵するメモリに記憶させる。
【０１１１】
その後、判定部５１は、「スケーリング有り→無し」メッセージを、表示制御部５２に供給して、ステップＳ１１からステップＳ１２に進む。ステップＳ１２では、表示制御部５２は、ビデオストリーム制御部４２から画像フォーマット情報を取得（受信）して、ステップＳ１３に進む。
【０１１２】
ステップＳ１３では、表示制御部５２から、判定部５１からの「スケーリング有り→無し」メッセージの供給をトリガとして、オードワイド処理を行う。
【０１１３】
即ち、ステップＳ１３では、基本的には、ステップＳ４の場合と同様の処理が行われる。但し、画面モードの選択は、全体アスペクト比情報が表す全体アスペクト比ではなく、画像フォーマット情報が表す画像フォーマットに基づいて行われる。
【０１１４】
具体的には、ステップＳ１３では、表示制御部５２は、ビデオストリーム制御部４２から取得した画像フォーマット情報が表す画像フォーマットに基づき、図８で説明したように、画面モードを選択し、その画面モードで画像が表示されるように、出力制御部２５Ｖを制御する。これにより、出力制御部２５Ｖは、表示制御部５２で選択された画面モードで画像が表示されるように、表示対象画像を必要に応じて拡大または縮小し、画像表示装置２６Ｖに供給して表示させる。
【０１１５】
ステップＳ４またはステップＳ１３の処理後は、動画プレーン／文字図形プレーン重畳制御部４３から判定部５１に、スケーリング情報が新たに供給されるのを待って、ステップＳ１に戻り、以下、同様の処理が繰り返される。
【０１１６】
以上のように、画面モード制御部４４では、表示対象画像における動画部分のスケーリングの状態が変化したか否かを判定し、表示対象画像における動画部分のスケーリングがされていない状態からスケーリングがされた状態に変化した場合には、そのスケーリングの状態の変化をトリガとして、表示対象画像を表示する画面モードを全体アスペクト比情報に基づいて選択して、その画面モードで、表示対象画像を表示させるので、つまり、表示対象画像の画像フォーマットが変化しなくても、オートワイド処理が行われるので、画像を適切に表示すること、特に、重畳画像を適切に表示することができる。
【０１１７】
即ち、例えば、いま、図１０の上から１番目に示すように、表示対象画像がサイドパネル付きの16:9画像であり、その表示対象画像が、図１０の上から２番目に示すように、「ワイドズームモード」の画面モードで表示されている場合において、図１０の上から３番目に示すように、表示対象画像が、サイドパネル付き16:9画像をスケーリングしたスケーリング後の画像と連動データとが重畳された、全体のアスペクト比が16:9のスケーリング重畳画像に変更されたとする。
【０１１８】
表示対象画像が、サイドパネル付きの16:9画像からスケーリング重畳画像に変更されることにより、判定部５１から表示制御部５２には、「スケーリング無し→有り」メッセージが供給され、表示制御部５２では、「スケーリング無し→有り」メッセージの供給をトリガとして、図９におけるステップＳ４のオードワイド処理が開始される。
【０１１９】
ステップＳ４のオートワイド処理では、表示対象画像であるスケーリング重畳画像の全体のアスペクト比である16:9に基づき、図８で説明したように、画面モードが選択されるので、いまの場合、画面モードとしては、「フルモード」が選択される。
【０１２０】
その結果、アスペクト比が16:9のスケーリング重畳画像は、そのまま、画像表示装置２６Ｖの16:9の表示領域に表示される。従って、前述の図４で説明したような文字欠けが生じることなく、アスペクト比が16:9のスケーリング重畳画像は、適切に表示される。
【０１２１】
また、例えば、図１１の上から１番目に示すように、表示対象画像が通常16:9であり、図１１の上から２番目に示すように、ユーザが、マニュアルで、画面モードを「ズームモード」にしている場合において、図１１の上から３番目に示すように、表示対象画像が、通常16:9画像をスケーリングしたスケーリング後の画像と連動データとが重畳された、全体のアスペクト比が16:9のスケーリング重畳画像に変更されたとする。
【０１２２】
表示対象画像が、通常16:9画像からスケーリング重畳画像に変更されることにより、判定部５１から表示制御部５２には、「スケーリング無し→有り」メッセージが供給され、表示制御部５２では、「スケーリング無し→有り」メッセージの供給をトリガとして、図９におけるステップＳ４のオードワイド処理が開始される。
【０１２３】
ステップＳ４のオートワイド処理では、表示対象画像であるスケーリング重畳画像の全体のアスペクト比である16:9に基づき、図８で説明したように、画面モードが選択されるので、いまの場合、画面モードとしては、「フルモード」が選択される。
【０１２４】
その結果、ユーザが、マニュアルで、画面モードを「フルモード」に変更しなくても、アスペクト比が16:9のスケーリング重畳画像は、そのまま、画像表示装置２６Ｖの16:9の表示領域に表示される。従って、前述の図４で説明したような文字欠けが生じることなく、アスペクト比が16:9のスケーリング重畳画像は、適切に表示される。
【０１２５】
なお、表示対象画像であるスケーリング重畳画像の全体のアスペクト比が、例えば4:3である場合には、ステップＳ４のオートワイド処理では、表示対象画像の全体のアスペクト比である4:3に基づき、図８で説明したように、「ワイドズームモード」の画面モードが選択される。
【０１２６】
その結果、アスペクト比が4:3のスケーリング重畳画像は、左右方向に拡大され、これにより、アスペクト比が16:9にされて、画像表示装置２６Ｖの16:9の表示領域に表示される。従って、この場合も、スケーリング重畳画像は、文字欠けが生じることなく、適切に表示される。
【０１２７】
また、表示対象画像における動画部分のスケーリングがされた状態からスケーリングがされていない状態に変化した場合には、そのスケーリングの状態の変化をトリガとして、ステップＳ１３のオートワイド処理において、表示対象画像を表示する画面モードが画像フォーマット情報に基づいて選択され、その画面モードで、表示対象画像が表示される。従って、やはり、画像を適切に表示すること、特に、テレビジョン放送番組としての動画を適切に表示することができる。
【０１２８】
即ち、表示対象画像における動画部分のスケーリングがされた状態からスケーリングがされていない状態に変化した場合には、図８の上側に示したように、表示対象画像の画像フォーマット情報が表す画像フォーマットが通常16:9であれば、「フルモード」の画面モードが選択される。また、表示対象画像の画像フォーマット情報が表す画像フォーマットが通常4:3である場合と、サイドパネル16:9である場合には、いずれの場合も、「ワイドズームモード」の画面モードが選択される。さらに、表示対象画像の画像フォーマット情報が表す画像フォーマットがレターボックスである場合には、「ズームモード」の画面モードが選択される。
【０１２９】
従って、いずれの画像フォーマットの表示対象画像も、表示対象画像における動画部分が、画像表示装置２６Ｖの16:9の表示領域の全体に表示される。
【０１３０】
なお、表示制御部５２では、表示対象画像における動画部分のスケーリングの状態の変化ではなく、表示対象画像が重畳画像になったことと、重畳画像でなくなったこと、つまり、表示対象画像が、データ放送のデータが重畳されていない画像、またはデータ放送のデータが重畳されている重畳画像のうちのいずれか一方から他方に変化したことをトリガとして、オートワイド処理を行うようにすることが可能である。
【０１３１】
但し、表示対象画像が重畳画像になったことと、重畳画像でなくなったことをトリガとして、オートワイド処理を行う場合には、表示対象画像が重畳画像になるか、または、重畳画像でなくなると、スケーリングの状態が変化しなくても、オートワイド処理が行われる。
【０１３２】
即ち、重畳画像としては、例えば、図１２の上側に示すように、テレビジョン放送番組としての通常16:9画像に、連動データが存在することを表す、データ放送のデータであるデータマークが重畳された画像（以下、適宜、データマーク重畳画像という）が生成されることがある。
【０１３３】
ここで、リモートコマンダ３１は、連動データを表示させるときに操作される＜ｄ＞ボタンを有しており、ユーザがリモートコマンダ３１の＜ｄ＞ボタンを押下すると、データマーク重畳画像に重畳されていた通常16:9画像がスケーリングされ、そのスケーリング後の通常16:9画像と、連動データとを重畳したスケーリング重畳画像が生成されて表示される。
【０１３４】
データマーク重畳画像は、通常16:9画像をスケーリングせずに、その通常16:9画像に、データマークが重畳されることにより生成される。
【０１３５】
従って、表示対象画像が重畳画像になったことと、重畳画像でなくなったことをトリガとして、オートワイド処理を行う場合には、表示対象画像が、重畳画像でない画像から、データマーク重畳画像になったことや、データマーク重畳画像から、重畳画像でない画像になったことをトリガとして、オートワイド処理が行われることとなる。
【０１３６】
即ち、例えば、図１２に下側に示すように、ユーザが、マニュアルで、画面モードを「ズームモード」にして、図１２の上側に示したデータマーク重畳画像を表示させている場合において、表示対象画像が、データマーク重畳画像から、そのデータマーク重畳画像に重畳されていた、スケーリングされていない通常16:9画像、つまり、データマークが重畳されていない画像に変化すると、そのことをトリガとして、オートワイド処理が行われることとなる。
【０１３７】
この場合、オートワイド処理では、表示対象画像である、スケーリングされていない通常16:9画像の画像フォーマットに基づき、画面モードとして、「フルモード」が選択される。従って、ユーザからすれば、マニュアルで画面モードを「ズームモード」にしたにもかかわらず、いわば勝手に、画面モードが「フルモード」に変更されることになり、ユーザに違和感を感じさせることがあり得る。
【０１３８】
これに対して、表示対象画像における動画部分のスケーリングの状態の変化をトリガとして、オートワイド処理を行う場合には、表示対象画像が、データマーク重畳画像から、そのデータマーク重畳画像に重畳されていた、スケーリングされていない通常16:9画像に変化しても、動画部分がスケーリングされていない状態に変わりはないので、オートワイド処理が行われない。従って、上述したような、ユーザに違和感を感じさせるおそれがある画面モードの変更が行われることを防止することができる。
【０１３９】
ここで、本実施の形態では、表示対象画像における動画部分のスケーリングの状態の変化をトリガとして、オートワイド処理を行うようにしたが、オートワイド処理を行うトリガとしては、表示対象画像における動画部分のスケーリングの状態の変化に加えて、ディジタル放送の音声モードの切り替わりや、表示対象画像の画像フォーマットの変化を採用することが可能である。
【０１４０】
また、上述した一連の処理は、ソフトウェアにより、即ち、CPUにプログラムを実行させることにより行うことができる他、専用のハードウェアにより行うことも可能である。
【０１４１】
なお、本発明の実施の形態は、上述した実施の形態に限定されるものではなく、本発明の要旨を逸脱しない範囲において種々の変更が可能である。
【図面の簡単な説明】
【０１４２】
【図１】画像フォーマットを説明するための図である。
【図２】画面モードを説明するための図である。
【図３】スケーリング重畳画像を示す図である。
【図４】スケーリング重畳画像が適切に表示されない場合を説明するための図である。
【図５】スケーリング重畳画像が適切に表示されない場合を説明するための図である。
【図６】本発明を適用したワイドTVの一実施の形態の構成例を示すブロック図である。
【図７】CPU１２がプログラムを実行することにより（仮想的に）実現される制御装置の機能的な構成例を示すブロック図である。
【図８】画像フォーマット情報、または全体アスペクト比情報と、表示制御部５２で選択される画面モードとの関係を示す図である。
【図９】画面モード制御部４４の動作を説明するためのフローチャートである。
【図１０】スケーリング重畳画像が適切に表示されることを説明するための図である。
【図１１】スケーリング重畳画像が適切に表示されることを説明するための図である。
【図１２】データマーク重畳画像を示す図である。
【符号の説明】
【０１４３】
１１  バス，  １２  CPU，  １３  ROM，  １４  RAM，  １５  HD，  １６  不揮発性メモリ，  １７  ドライブ，  １８  リムーバブル記録媒体，  １９  受信部，  ２１  チューナ，  ２２  デスクランブラ，  ２３  デマルチプレクサ，  ２４  デコーダ，  ２４Ａ  オーディオデコーダ，  ２４Ｖ  ビデオデコーダ，  ２５  出力制御部，  ２５Ａ  出力音声制御部，  ２５Ｖ  出力画像制御部，  ２６  出力装置，  ２６Ａ  音声出力装置，  ２６Ｖ  画像表示装置，  ３１  リモートコマンダ，  ４１  データ放送制御部，  ４２  ビデオストリーム制御部，  ４３  動画プレーン／文字図形プレーン重畳制御部，  ４４  画面モード制御部，  ５１  判定部，  ５２  表示制御部
【図１】
0004437546.tif 000002
【図２】
0004437546.tif 000003
【図３】
0004437546.tif 000004
【図４】
0004437546.tif 000005
【図５】
0004437546.tif 000006
【図６】
0004437546.tif 000007
【図７】
0004437546.tif 000008
【図８】
0004437546.tif 000009
【図９】
0004437546.tif 000010
【図１０】
0004437546.tif 000011
【図１１】
0004437546.tif 000012
【図１２】
0004437546.tif 000013